(57)【特許請求の範囲】
【請求項１】
髭剃り装置において、
ａ）枢動フレーム（１４）と、
ｂ）該枢動フレームに対し、第１軸線のまわりに髭剃り力に応答して髭剃り可能な範囲内でのみ枢動可能に接続された枢動組立体（１２）と、
ｃ）刃縁を有する少くとも１枚のカミソリ刃（２０）を含み、前記枢動組立体に対し第２軸線のまわりに髭剃り力に応答して枢動可能に接続された刃組立体（１０）とを備え、
前記第１軸線と前記第２軸線とが前記刃縁に平行である髭剃り装置。
【請求項２】
請求項１による髭剃り装置において、
ｄ）前記刃組立体と前記枢動組立体との間の第一の偏倚ばね部材と、
ｅ）前記枢動組立体と前記枢動フレームとの間の第二の偏倚ばね部材（５０，５２）とを備える、髭剃り装置。
【請求項３】
請求項２による髭剃り装置において、前記第一の偏倚ばね部材が、前記第二の偏倚ばね部材よりも強力である、髭剃り装置。
【請求項４】
請求項２による髭剃り装置において、前記第二の偏倚ばね部材が、前記枢動組立体が前記枢動フレームに対して常態位置の両側に回転するのを許容する、髭剃り装置。
【請求項５】
請求項２による髭剃り装置において、前記第二の偏倚ばね部材が前記枢動組立体が前記枢動フレームに対して常態位置の片側にのみ回転するのを許容する、髭剃り装置。
【請求項６】
請求項２による髭剃り装置において、前記第二の偏倚ばね部材が片持ち状のばねである、髭剃り装置。
【請求項７】
請求項２による髭剃り装置において、前記第二の偏倚ばね部材がカム従動子（５２）を有する、髭剃り装置。
【請求項８】
請求項１による髭剃り装置において、前記刃組立体が３枚刃の刃組立体である、髭剃り装置。
【発明の詳細な説明】
【０００１】
【発明の属する技術分野】
本発明は、全体として、枢動接続部を介してハンドルに取り付けられるカミソリ刃組立体を有する安全カミソリ髭剃り用装置に関する。より具体的には、本発明は、切傷の防止に役立ち得るように、髭剃り力が増すとき、枢動点が、中心枢動点（例えば、実質的に剃り面上の３枚刃カミソリを中央刃の点）から実質的に髭剃り面上における安全バー枢動点まで移動し且つ滑らかな髭剃りを可能にすることを特徴とする安全カミソリに関する。
【０００２】
【従来の技術】
連続的に髭を剃る皮膚面の上を移動し得るように配置された鋭利な切刃部分を画成する複数の刃を有する刃ユニットを採用する安全カミソリは周知である。
【０００３】
本発明は、刃の切刃部分が切れなくなったとき、交換し得るように取り外し可能にハンドル上に取り付けられたカートリッジの形態の刃ユニットを有する安全カミソリ、及びカミソリのハンドルに恒久的に取り付けられた刃ユニットカートリッジを有する使い捨て型安全カミソリに適用可能である。
【０００４】
上述した刃ユニットカートリッジは（ハンドルに恒久的に固着されているか又は交換可能なカートリッジの形態であるかを問わず）、全体として、長手方向に伸びるフレーム部分上の安全保護面及びキャップ面を有する矩形の成形プラスチックフレームを備えている。フレームの開口部内にてその切刃部分が互いに平行に且つ安全保護面に向けて方向決めされた状態で刃が串形に配置されている。
【０００５】
刃ユニットのいわゆる髭剃りの幾何学的形態は、該ユニットの髭剃り性能を決定する上で重要であることが周知である。この髭剃りの幾何学的形態は、皮膚に接触するその他の部品、特に、刃ユニットの安全保護及びキャップに対する刃の位置及び方向を画成する。
【０００６】
周知の髭剃り刃組立体は、該組立体をハンドルに対して中立位置に偏倚させ得るように、髭剃り刃組立体の底部上のカム面と相互作用するように髭剃りハンドル上にばね偏倚式カム従動子を採用する。
【０００７】
髭を剃る間、カートリッジ組立体は、ハンドルに対する中立位置から前方（時計方向）又は後方（反時計方向）に枢動することができ、これにより、刃パッケージ体は、髭を剃る間、皮膚の輪郭に従うことができる。
【０００８】
上述した枢動特徴を有する市販にて入手可能な安全カミソリの例は、シックエクストリアメ（Ｓｃｈｉｃｋ  Ｘｔｒｅａｍｅ）ＩＩＩ（商標名）３枚刃簡便カミソリ、ジレットセンサエクセル（Ｇｉｌｌｅｔｔｅ  Ｓｅｎｓｏｒ  Ｅｘｃｅｌ）（商標名）安全カミソリ及びジレットのマッハ（Ｍａｃｈ）ＩＩＩ（商標名）の安全カミソリを含む。
【０００９】
シックエクストリアメＩＩＩカミソリ及びジレットセンサエクセル安全カミソリの双方の刃カートリッジは、中心枢動点の周りを回転し、カートリッジは、その中立位置から２方向に回転することができる。
【００１０】
中心枢動点は、上述した３枚刃カミソリの全ての３枚刃により均一に髭剃りすることができるように、力を釣合わせる。
ジレットマッハＩＩＩ安全カミソリは、安全バーの枢動点（枢動は、中心枢動点の場合と異なり安全バーを通る軸上にて行われる）を特徴とするカミソリの一例である。カートリッジは、その中立位置から１方向にのみ回転可能である。
【００１１】
安全バーの枢動により、加えられる荷重（例えば、カミソリを皮膚に対して押し付けるときのような荷重）は安全バーに作用するが、刃には作用しない結果、中心枢動式の構造の場合よりも「安全」な髭剃りが可能である。また、安全バーは、中心枢動式装置の場合と比べて皮膚を引き延ばすことを容易にし、これにより安全な密着髭剃りを促進する。
【００１２】
髭剃の間、刃ユニットの刃には、上述した引きずり力と荷重力とを組み合わせた力が作用する。引きずり力は、髭剃り面に対し実質的に平行に向けられる力であり、荷重力は、髭剃り面に対し実質的に垂直な方向に向けて皮膚により刃に加えられる力（上述したように、カミソリを顔面に押し付けたときに生ずる力）である。
【００１３】
【発明が解決しようとする課題】
全体的に説明すれば、引きずり力に起因する過度の回転モーメントを最小にし得るように、カミソリの枢動点を可能な限り髭剃り面の近くに配置することが重要である。
【００１４】
更に、髭剃りの改良された密着性を実現するため、大きい荷重圧力下にてカミソリを皮膚に押し付けることにより、一方にて、カミソリの全ての刃を可能な限り均一に利用する（例えば、特定の刃の鈍化を防止し、１回の往復動作にて最高の剃り動作が実現されるようにする等のため）一方、益々大きく加えられる荷重により切傷が生じないようにするため、安全な髭剃り状態を実現し且つそれを維持することが望ましい。全体として、髭剃りの力（荷重）が増すに伴い、切傷が付く可能性は増大する。
【００１５】
換言すれば、髭剃り過程中、ユーザによる変化する荷重を受け入れ、引きずり力を最小にし且つ密着髭剃り状態を保証すると同時に、安全な髭剃り状態を確保することが望ましい。
【００１６】
上述した従来技術の装置は、最高の髭剃り性能及び安全性を実現する（勿論、使用される枢動装置の型式に依存してその両者の妥協において）が、既知の全ての装置の枢動点は、実質的に一定のままである。
【００１７】
このことは、中心枢動点の装置の場合、刃の露出を制限し且つ切傷を生じないように保護する安全バーによる皮膚の引き延ばし及び保護特徴の有利な点を最大限活用しない一方、安全バー枢動点の装置の場合、切傷を生じる可能性が遥かに少ない軽い荷重状況のときに利用可能な多数刃の有利な点を最大に利用しない結果となる（上述した、妥協において）。
【００１８】
従って、カミソリに対する荷重を増大させることができ、しかも、大きい荷重のとき、枢動点を中心枢動点から安全バーの枢動点まで移動させることにより、カミソリ装置を枢動させたとき、安全な髭剃り状態を維持することができるようにすることが望ましい。
【００１９】
また、軽い荷重のときは中心の周りで枢動するが、大きい荷重のときは安全バーの周りで枢動して均一に髭剃り得るようにするカミソリを提供することも望ましい。
【００２０】
髭剃り動作中、ユーザによる変化する荷重を受け入れ、引きずり力を最小にし、密着髭剃りを保証すると同時に、安全な髭剃り状態を確実にするカミソリを提供することも望ましい。
【００２１】
特定の刃の鈍化を防止し得るようにカミソリ内の全ての刃を可能な限り均一に利用し、１回の往復動作にて最大の髭剃り動作が実現されると同時に、作用する荷重が増大しても切傷を生じさせないように安全な髭剃り状態を実現し且つそれを維持するカミソリを提供することも望ましい。
【００２２】
本発明の１つの全体的な目的は、安全な髭剃り状態を保ちつつ、枢動型カミソリに加わる荷重を増大させることができるようにすることである。
本発明の１つの特定の目的は、髭剃り動作中、ユーザによる変化する荷重を受け入れ、引きずり力を最小にし、密着髭剃りを保証すると同時に、安全な髭剃り状態を確実にすることである。
【００２３】
本発明の更なる目的は、特定の刃の鈍化を防止し得るようにカミソリ内の全ての刃を可能な限り均一に利用し、１回の往復動作にて最大の髭剃り動作を実現すると同時に、作用する荷重の増大が切傷を生じさせないように安全な髭剃り状態を実現し且つ維持することが可能であるようにすることである。
【００２４】
本発明の更に別の目的は、軽い荷重のときは刃組立体の中心の周りで枢動するが、大きい荷重のときは安全バーの周りで枢動するカミソリを提供することである。
【００２５】
【課題を解決するための手段】
以下に詳細に説明する、これらの目的に従って、本発明によるカミソリは、刃組立体（すなわちカートリッジ）と、枢動組立体と、枢動フレームとを有している。刃組立体は、枢動組立体に枢動可能に接続され、枢動組立体は枢動フレームに枢動可能に接続されている。
【００２６】
刃組立体と枢動組立体との間の第一の偏倚部材が刃組立体を第一の位置に偏倚させる。枢動組立体と枢動フレームとの間の第二の偏倚部材が枢動フレームを中立位置に偏倚させる。第一の偏倚部材は第二の偏倚部材よりも強力であることが好ましい。
【００２７】
刃組立体が第一の位置にあるとき、該刃組立体に荷重を加えると、該刃組立体及び枢動点は刃組立体の中心線の周りで回転する。追加的な荷重を付与すると、刃組立体は第一の偏倚部材に抗して移動し且つ枢動組立体に対する第二の位置まで移動する。刃組立体が第二の位置にあるとき、該刃組立体に荷重を加えると、該刃組立体及び枢動組立体は刃組立体の安全バーの周りで回転する。
【００２８】
本発明の１つの実施の形態によれば、枢動組立体は枢動フレームに対して２方向に枢動可能であり且つ約±２０°だけ枢動自在である。
本発明の別の実施の形態によれば、枢動組立体は枢動フレームに対して１方向に枢動可能であり且つ約４０°だけ枢動自在である。
【００２９】
刃組立体と枢動組立体との間に実現可能な枢動接続は、枢動組立体における一対のボスと、刃組立体における、合わさる一対の枢動空所とによって行われることが好ましい。これらのボスは約１８０°半円形であり且つ空所は約２２５°であり、これにより、刃組立体が枢動組立体に対し約４５°枢動することを許容する。枢動組立体と枢動フレームとの間の枢動接続は枢動フレームにおける相応する雄型ジャーナルが係合する、枢動組立体における一対の雌型ジャーナルを介して実現されることが好ましい。第二の偏倚部材は、雄型ジャーナルの間を伸び且つ枢動組立体の中心部分に係合する曲げ可能な指状体として具体化されることが好ましい。
【００３０】
２方向の実施の形態において、曲げ可能な指状体は。下方に伸びる一対のＵ字形部材に係合する。１方向の実施の形態において、曲げ可能な指状体は、枢動組立体の一側部のカム面に係合するカム従動子を有している。
【００３１】
【発明の実施の形態】
次に、図１乃至図５を参照すると、本発明による一例としてのカミソリ組立体は、刃組立体（すなわちカートリッジ）１０と、枢動組立体１２と、枢動フレーム１４、１４´とを備えている。刃組立体１０は、キャップ１６と、安全保護バー１８と、該キャップと安全保護バーとの間に配置された複数の刃２０、２２、２４とを有している。刃組立体１０の下方内側は、一対のソケット２６を有しており、該ソケットの１つが図２に図示されている。該ソケットは、約２２５゜分離した一対の停止部２８、３０を有している。
【００３２】
枢動組立体１２は、ソケット２６に係合し得るような寸法とされた一対のボス３２、３４を有している。これらのボスは、約１８０゜の半円形である。このため、停止部２８から停止部３０への回転角度は約４５゜である。これらのボスに隣接して、枢動組立体は、一対の雌型ジャーナル３６、３８を有している。全体として、枢動組立体は、カム面４０と、下方に伸びる一対のＵ字形部材４２、４４とを有している。
【００３３】
本発明の第一の実施の形態によれば、構成部品１０、１２は、互いに且つ枢動フレーム１４に対して合わされる。本発明の第二の実施の形態によれば、構成部品１０、１２は、互いに且つ枢動フレーム１４´に対して合わされる。
【００３４】
枢動フレーム１４は、枢動組立体１２の雌型ジャーナル３６、３８に係合し得るような配置状態及び寸法とされた一対の雄型ジャーナル４６、４８を有している。雄型ジャーナルの間に片持ち状の偏倚部材５０が配置されている。該偏倚部材５０は、枢動組立体１２の下方に伸びるＵ字形部材４２、４４に係合するような配置状態及び寸法とされたカム従動子として軸５２を有している。
【００３５】
枢動フレーム１４´は、枢動組立体１２の雌型ジャーナル３６、３８に係合し得るような配置状態及び寸法とされた一対の雄型ジャーナル４６´、４８´を有している。雄型ジャーナルの間に片持ち状の偏倚部材５０´が配置されている。該偏倚部材５０´は、枢動組立体１２のカム面４０に係合するような配置状態及び寸法とされたカム従動子５２´を有している。
【００３６】
図６乃至図８には、組み立てた第一の実施の形態が図示されている。図７に最も良く図示するように、刃組立体１０と枢動組立体１２との間に偏倚ばね（図示せず）が配置されている。該ばねは、刃組立体を図７に図示した位置に偏倚させる。図７に図示するように、刃組立体がこの第一の位置にあるとき、刃組立体に荷重を加えると、刃組立体１０及び枢動組立体１２は刃組立体の中心線「Ｃ」の周りで回転する。追加的な荷重を加えると、刃組立体１０は、前記ばねに抗して移動し、枢動組立体１２に対して第二の位置まで移動する。図８には、第二の位置が図示されている。刃組立体が第二の位置にあるとき、刃組立体に荷重を加えると、刃組立体及び枢動組立体は安全保護バーの軸「Ｇ」の周りで回転する。上記の説明から、当該技術分野の当業者は、図６乃至図８に図示した枢動組立体１２は図７に図示した位置から約±２０゜だけ枢動フレームに対して枢動自在であることが理解されよう。更に、刃組立体は、図７に図示した位置から図８に図示した位置まで約４５゜だけ枢動フレームに対して枢動自在であることが理解されよう。
【００３７】
図９乃至図１１は、図６乃至図８と同様であるが、枢動フレーム１４´を利用する第二の実施の形態を示す。当該技術分野の当業者は、図９乃至図１１に図示した枢動組立体１２は中心位置から図１０及び図１１に図示した位置まで約４０゜だけ枢動フレームに対して枢動自在であることが理解されよう。更に、刃組立体は、図１０に図示した位置から図１１に図示した位置まで約４５゜だけ枢動フレームに対して枢動自在であることが理解されよう。
【００３８】
上述したように、本発明は、髭剃り力が増大するに伴い、枢動点を中心枢動点（すなわち、髭剃り面における中央刃における点）から髭剃り面における安全保護バーの点まで移動させることにより安全性を向上させる。カートリッジは、中心枢動点から安全保護バーの枢動点まで移動する枢動点に対して回転する。カートリッジと枢動点との間のばねにより該カートリッジはその最初の位置に戻る。カートリッジ及び枢動点は、また、枢動フレームに対しても動く。
【００３９】
当該技術分野の当業者は、枢動フレーム１４、１４´はカミソリのハンドルの一体部分とするか、又はカミソリのハンドル内にスナップ止めすることができることが理解されよう。フレームは、上述した枢動動作を介して髭剃る人の手からカートリッジ（中央刃又は安全保護バーの位置の何れかにある）まで荷重を伝達することが理解されよう。
【００４０】
改良された安全保護カミソリの幾つかの実施の形態について本明細書で説明し且つ図示した。本発明の特定の実施の形態について説明したが、本発明は、技術が許容する限り広範囲であることを意図するものであるから、本発明をこれにのみ限定することを意図するものではなく、従って本明細書もそのように読むべきである。このため、当該技術分野の当業者は、特許請求の範囲に記載された精神及び範囲から逸脱せずに、記載した発明の更なる別の改変例を為すことが可能であることが理解されよう。
【図面の簡単な説明】
【図１】本発明の教示に従って使用するのに適した一例としての３枚刃カートリッジの正面斜視図である。
【図２】図１に図示した一例としてのカートリッジの後方斜視図である。
【図３】本発明の教示に従って図１及び図２に図示したカートリッジと協働する一例としての枢動点の正面斜視図である。
【図４】本発明が考える一例としての２方向枢動フレームの正面斜視図である。
【図５】本発明が考える一例としての１方向枢動フレームの正面斜視図である。
【図６】本発明が考える型式の２方向髭剃り装置を形成し得るように図４に図示した一例としての２方向枢動フレームに取り付けた、図１乃至図３の一例としてのカートリッジ及び枢動点の前面斜視図である。
【図７】刃組立体を第一の位置まで偏倚させた、図６の髭剃り装置の側面断面図である。
【図８】刃組立体を荷重のとき第二の位置まで枢動させた、図６の髭剃り装置の側面断面図である。
【図９】図６と同様であるが、１方向の実施の形態を示す図である。
【図１０】図７と同様であるが、１方向の実施の形態を示す図である。
【図１１】図８と同様であるが、１方向の実施の形態を示す図である。
【符号の説明】
１０  刃組立体／カートリッジ      １１  偏倚ばね
１２  枢動組立体                  １４、１４´  枢動フレーム
１６  キャップ                    １８  安全保護バー
２０、２２、２４  刃              ２６  ソケット
２８、３０  停止部                ３２、３４  ボス
３６、３８  雌型ジャーナル        ４０  カム面
４２、４４  Ｕ字形部材
４６、４６´、４８、４８´  雄型ジャーナル
５０、５０´  偏倚部材            ５２  回転軸
５２´  カム従動子
【図１】
0003850748.tif 000002
【図２】
0003850748.tif 000003
【図３】
0003850748.tif 000004
【図４】
0003850748.tif 000005
【図５】
0003850748.tif 000006
【図６】
0003850748.tif 000007
【図７】
0003850748.tif 000008
【図８】
0003850748.tif 000009
【図９】
0003850748.tif 000010
【図１０】
0003850748.tif 000011
【図１１】
0003850748.tif 000012